(57)【要約】【課題】リアクター等の電装品が発する熱を十分に冷却し電装品箱の熱安定性を向上させると共に、重量物であるリアクター等の電装品の取付を容易にかつ確実に行い得る空気調和機の室外ユニットを提供する。【解決手段】筐体内部を仕切板１６により風回路室１８と機械室２０に仕切り、圧縮機１９の制御に伴って発熱する発熱量の高いリアクター２２を収納する電装品箱２３を仕切板１６下部の風回路室１８側に配置し、電装品箱２３を構成するリアクター台２４の上面を仕切板１６に形成した切起し１６ａで支持するように固定したものである。【選択図】図２
2006162124.tif 000002
【特許請求の範囲】
【請求項１】
筐体内部を仕切板により風回路室と機械室に仕切り、前記仕切板の前記風回路室側下部に内部に圧縮機の速度制御に伴って発熱する発熱量の比較的高いリアクターを収納する電装品箱から構成され、前記電装品箱は、下部にリアクターを設置するリアクター台と周囲を覆うリアクターカバーとにより構成され、前記仕切板の下部に電装品箱に向かって折曲し前記リアクター台を支持する切起しを設けたことを特徴とする空気調和機の室外ユニット。
【請求項２】
仕切板に形成した切起しと相対する位置に、前記切起しが勘合する凹部をリアクター台に設けたことを特徴とする、請求項1記載の空気調和機の室外ユニット。
【請求項３】
切起しを電装品箱が当接する仕切板上の部位の全面に渡ってルーバー状に複数形成したことを特徴とする、請求項1記載の空気調和機の室外ユニット。
【発明の詳細な説明】
【技術分野】
【０００１】
本発明は空気調和機の室外ユニットに関するもので、例えばインバーター回路を搭載する室外ユニットのリアクタ取付構造に関するものである。
【背景技術】
【０００２】
近年、空気調和機の室外ユニットのインバーター化、高効率化に伴い、リアクター等の大型で、重く、冷却を必要とする電装部品の使用が多くなり、その取付については、ユニット内部の風回路に突出した位置に固定することが多くなっている。
【０００３】
以下に、従来の空気調和機の室外ユニットの構成を図５を用いて説明する。
【０００４】
図５において、空気調和機の室外ユニット１は、外箱２及び基板３で形成され、内部にファン４を内蔵する風回路室５と、圧縮機６を内蔵する機械室７が設けられ、これらが仕切板８にて隔てられている。
【０００５】
機械室７には圧縮機６の上方にインバーター（図示せず）が備えられ、圧縮機６へ供給する電源の周波数を適宜変換させるようになっている。
【０００６】
仕切板８の風回路室５側下隅には周波数変換の際の力率を向上させるためのリアクター９を内蔵した電装品箱１０が配設され、通風穴８ａにより電装品箱１０と機械室７とを連通している。
【０００７】
リアクター９はその重量が重いため堅牢な部品に固定しなければならず、またリアクター９は電装部品であり基板３上端面の喫水線以上に配設する必要があるとともに、雨水から保護しなければならず、この条件である一定の高さを持ち重量物が支えられ防水構造にするため、電装品箱１０は箱形状にしたリアクター台１１と、リアクター９の周囲を覆うリアクターカバー１２にて構成されており、ファン４に面する側からネジ等により基板３に固定し、圧縮機６に面する側はリアクターカバー１２の上部をネジ等により仕切板８に固定して構成している（例えば、特許文献１参照）。
【特許文献１】特開２００３−２５４５６６号公報
【発明の開示】
【発明が解決しようとする課題】
【０００８】
しかしながら上記従来の空気調和機の室外ユニットの構成では、リアクター９を搭載したリアクター台１１を取付ける際にリアクター９の重量が重いため、ネジ穴を合わせる作業が困難であるとともに、室外ユニット１の輸送時における電装品箱１０の振動を抑制するため、通常使用時にはリアクター９の重量負荷がかからないリアクターカバー１２の強度を向上させる必要があった。
【０００９】
また、リアクター９の発熱による温度上昇を抑制するため、仕切板８に形成した通風穴８ａにより仕切板８の強度が弱くなり、輸送時の変形の原因となっていた。
【００１０】
本発明は、上記従来の課題を解決するもので、安価な構成で、電装品箱の取付を確実にしかも容易に行うことができるとともに、電装品箱の温度上昇を防止できる空気調和機の室外ユニットを提供することを目的とするものである。
【課題を解決するための手段】
【００１１】
上記従来の課題を解決するために、本発明の空気調和機の室外ユニットは、筐体内部を仕切板により風回路室と機械室に仕切り、前記仕切板の前記風回路室側下部に内部に圧縮機の速度制御に伴って発熱する発熱量の比較的高いリアクターを収納する電装品箱から構成され、前記電装品箱は、下部にリアクターを設置するリアクター台と周囲を覆うリアクターカバーとにより構成され、前記仕切板の下部に電装品箱に向かって折曲し前記リアクター台を支持する切起しを設けているので、前記リアクター台が仕切板に設けた切起しにより支持されるため、取付けが容易で且つ機械的強度が確保され、輸送時における振動によってリアクターカバーが変形することがなく、また、冷却用の連通孔も確保され、電装品の冷却を十分に行うことができる。
【発明の効果】
【００１２】
本発明の空気調和機の室外ユニットは、安価な構成で確実に電装品箱の固定ができるとともに、電装品箱の温度上昇を防止できるものである。
【発明を実施するための最良の形態】
【００１３】
第１の発明は、筐体内部を仕切板により風回路室と機械室に仕切り、前記仕切板の前記風回路室側下部に内部に圧縮機の速度制御に伴って発熱する発熱量の比較的高いリアクターを収納する電装品箱から構成され、前記電装品箱は、下部にリアクターを設置するリアクター台と周囲を覆うリアクターカバーとにより構成され、前記仕切板の下部に電装品箱に向かって折曲し前記リアクター台を支持する切起しを設けたもので、リアクター台はファン側をネジ等により基板に固定され、圧縮機側は仕切板に設けた切起しと基板の間隙に挿入して固定されるため、輸送時における振動による応力がリアクターカバーに伝わることがなく、リアクターカバーの簡素化による合理化が図れる。
【００１４】
また、仕切板は切起しにより強固なものになるとともに、切起しにより形成された貫通部より電装品箱内部と機械室とが連通されることから、電装品箱の温度上昇が防止できる。
【００１５】
第２の発明は、特に第１の発明のリアクター台に、仕切板に形成した切起しと相対する位置に前記切起しが勘合する凹部を設けたもので、リアクター台を基板上へ固定する際は、仕切板に形成した切起しとリアクター台に設けた凹部により位置合せが可能となることから組立作業工数の削減が図れる。
【００１６】
第３の発明は、特に第１の発明の切起しを電装品箱の全面に渡ってルーバー状に複数形成したもので、切起しにより仕切板の強度が向上するとともに切起しにより形成される貫通部の面積が拡大することから電装品箱内の温度上昇の抑制効果が増大する。
【００１７】
以下、本発明の実施の形態について図面を参照しながら説明する。なお、本実施の形態によって本発明が限定されるものではない。
【００１８】
（実施の形態１）
図１は、本発明の第１の実施の形態における空気調和機の室外ユニットの断面図で、図２は、同室外ユニットの電装品箱の取付部の構成を示す部分斜視図である。
【００１９】
図１、図２において、室外ユニット１３は外箱１４、基板１５で形成され、内部は仕切板１６によって左右に仕切られその片側にファン１７を内蔵する風回路室１８が、もう片側に圧縮機１９を内蔵する機械室２０が形成されている。
【００２０】
仕切板１６の風回路室１８側下隅には、リアクター２２を内蔵した電装品箱２３が配設され、箱形状に形成しリアクター２２を搭載するリアクター台２４と、リアクター２２の
周囲を覆うリアクターカバー２５により構成されている。
【００２１】
リアクター台２４は、ファン１７側をネジ等により基板１５に固定され、圧縮機１９側は仕切板１６の下方に形成されたリアクター台２４に向かって折曲しリアクター台２４の上面を支持する切起し１６ａと基板１５との間隙に挿入して固定している。
【００２２】
リアクターカバー２５は、リアクター台２４の上部に配置され、ファン１７側をネジ等によりリアクター台２４に固定し圧縮機１９側は仕切板１６にネジ等により固定している。
【００２３】
以上のように構成された空気調和機の室外ユニットにおいて、リアクター台２４は、片側をネジ等により基板１５に固定され、もう片側は仕切板１６に形成した切起し１６ａと基盤１５の間隙に挟まれ支持されているため輸送時等の振動による応力がリアクターカバーに伝わることがない。
【００２４】
従って、リアクターカバー２５は強固なものにする必要がなく合理化が図れる。
【００２５】
また、切起し１６ａにより仕切板１６の強度が向上するとともに、切起し１６ａにより形成された貫通部１６ｂにより電装品箱２３と機械室２０とが連通されることから電装品箱２３の温度上昇が防止できる。
【００２６】
（実施の形態２）
図３は、本発明の第２の実施の形態における空気調和機の室外ユニットの要部斜視図である。
【００２７】
なお、上記実施の形態と同一部分については同一符号を付してその説明を省略する。
【００２８】
本実施の形態では、リアクター台２４に仕切板１６に形成した切起し１６ａと相対する位置に凹部２４ａを形成しているので、リアクター台２４を基板１５上の所定の位置へ配置する際は、切起し１６ａに凹部２４ａを合せることで位置決めが可能となることから作業効率が向上する。
【００２９】
（実施の形態３）
図４は、本発明の第３の実施の形態における空気調和機の室外ユニットの要部斜視図である。
【００３０】
なお、上記実施の形態と同一部分については同一符号を付してその説明を省略する。
【００３１】
本実施の形態では、仕切板１６に形成した切起し１６ａを電装品箱２３の全面に渡ってルーバー状に複数形成しているので、切起し１６ａにより仕切板１６の強度がより向上するとともに、切起し１６ａにより形成される貫通部１６ｂの面積が拡大することから電装品箱２３内の温度上昇抑制効果が増大する。
【産業上の利用可能性】
【００３２】
以上のように、本発明に係る空気調和機の室外ユニットは、安価な構成で、確実に、しかも簡単に電装品箱の取付けができるので、リアクターなど重量物を有する各種機器、装置にも適用できるものである。
【図面の簡単な説明】
【００３３】
【図１】本発明の実施の形態１における空気調和機の室外ユニットの断面図
【図２】本発明の実施の形態１における室外ユニットの部分斜視図
【図３】本発明の実施の形態２における空気調和機の室外ユニットの部分斜視図
【図４】本発明の実施の形態３における空気調和機の室外ユニットの部分斜視図
【図５】従来の空気調和機の室外ユニットの断面図
【図６】従来の空気調和機の室外ユニットの部分斜視図
【符号の説明】
【００３４】
１６  仕切板
１６ａ  切起し
１８  風回路室
１９  圧縮機
２０  機械室
２２  リアクター
２３  電装品箱
２４  リアクター台
２４ａ  凹部
２５  リアクターカバー
【図１】
2006162124.tif 000003
【図２】
2006162124.tif 000004
【図３】
2006162124.tif 000005
【図４】
2006162124.tif 000006
【図５】
2006162124.tif 000007
【図６】
2006162124.tif 000008